(57)【特許請求の範囲】
【請求項１】
基板と前記基板に実装された電子部品とを備えるプラグインパッケージをガイドレールに沿ってスライド収納するシェルフにおいて、
前記プラグインパッケージのスライド収納動作を衝突停止させるとともに、スライド方向に垂直な横幅方向のマージンを低減させる突設部を、前記プラグインパッケージのスライド収納軌道上に備え、
対向する一対の前記スライド収納軌道の一方と他方とにおいて対向しないように、前記突設部が配置されることにより、前記突設部と前記プラグインパッケージとの衝突毎に収納速度が停止され、その回数は前記突設部の数と同一である
ことを特徴とするシェルフ。
【請求項２】
請求項１に記載のシェルフにおいて、
前記突設部を、スライド収納方向における前記スライド収納軌道の１／２から３／４の範囲に備える
ことを特徴とするシェルフ。
【請求項３】
請求項１または請求項２に記載のシェルフにおいて、
前記プラグインパッケージがスライド収納動作をする場合に、前記対向する一対のスライド収納軌道の一方と他方とで時間差を有して、前記プラグインパッケージが衝突停止するように、複数の前記突設部を対向する一対の前記スライド収納軌道上に斜交い配置に備える
ことを特徴とするシェルフ。
【請求項４】
請求項１乃至請求項３のいずれか１項に記載のシェルフにおいて、
前記突設部は、シェルフの内側壁が凸状となって形成される
ことを特徴とするシェルフ。
【請求項５】
基板と前記基板に実装された電子部品とを備えるプラグインパッケージをガイドレールに沿ってスライド収納するシェルフであって、前記プラグインパッケージのスライド収納動作を衝突停止させるとともに、スライド方向に垂直な横幅方向のマージンを低減させる突設部を、前記プラグインパッケージのスライド収納軌道上に備えるシェルフ、にスライド収納されるプラグインパッケージにおいて、
前記突設部と衝突する辺縁部に衝突部材を備え、
対向する一対の前記スライド収納軌道の一方と他方とにおいて対向しないように、前記突設部が配置されることにより、前記突設部と前記プラグインパッケージとの衝突毎に収納速度が停止され、その回数は前記突設部の数と同一である
ことを特徴とするプラグインパッケージ。
【請求項６】
請求項１乃至請求項４のいずれか１項に記載のシェルフにスライド収納されるプラグインパッケージにおいて、
前記突設部に衝突停止した後のさらなるスライド収納動作に伴う前記突設部に対応する辺縁部に、前記突設部を回避する切り欠き部を備える
ことを特徴とするプラグインパッケージ。
【請求項７】
基板と前記基板に実装された電子部品とを備えるプラグインパッケージをガイドレールに沿ってシェルフにスライド収納する方法において、
前記プラグインパッケージのスライド収納軌道上に備えられた突設部により、前記プラグインパッケージのスライド収納動作を衝突停止させる工程と、
スライド方向に垂直な横幅方向のマージンが前記突設部により低減された状態で、さらにスライド収納動作をする工程とを有し、
対向する一対のスライド収納軌道の一方と他方とにおいて対向しないように、前記突設部が配置されることにより、前記突設部と前記プラグインパッケージとの衝突毎に収納速度が停止され、その回数は前記突設部の数と同一である
ことを特徴とするシェルフにプラグインパッケージをスライド収納する方法。
【請求項８】
請求項７に記載のシェルフにプラグインパッケージをスライド収納する方法において、
前記突設部は、スライド収納方向における前記スライド収納軌道の１／２から３／４の範囲に備えられる
ことを特徴とするシェルフにプラグインパッケージをスライド収納する方法。
【請求項９】
請求項７または請求項８に記載のシェルフにプラグインパッケージをスライド収納する方法において、
前記シェルフは、前記プラグインパッケージがスライド収納動作をする場合に、時間差を有して交互に異なる側において前記プラグインパッケージが衝突停止するように、複数の前記突設部を対向する一対のスライド収納軌道上に備え、
前記プラグインパッケージがスライド収納動作をする場合に、斜交い配置された複数の前記突設部に対して、前記対向する一対のスライド収納軌道の一方と他方とで時間差を有して、前記プラグインパッケージが順次衝突停止する工程を有し、
対向する一対の前記スライド収納軌道の一方と他方とにおいて対向しないように、前記突設部が配置されることにより、前記突設部と前記プラグインパッケージとの衝突毎に収納速度が停止され、その回数は前記突設部の数と同一である
ことを特徴とするシェルフにプラグインパッケージをスライド収納する方法。
【請求項１０】
請求項７乃至請求項９のいずれか１項に記載のシェルフにプラグインパッケージをスライド収納する方法において、
前記突設部は、シェルフの内側壁が凸状となって形成された
ことを特徴とするシェルフにプラグインパッケージをスライド収納する方法。
【請求項１１】
基板と前記基板に実装された電子部品とを備えるプラグインパッケージをガイドレールに沿ってシェルフにスライド収納する方法において、
前記プラグインパッケージのスライド収納軌道上に備えられた突設部により、前記プラグインパッケージのスライド収納動作を衝突停止させる工程と、
スライド方向に垂直な横幅方向のマージンが前記突設部により低減された状態で、さらにスライド収納動作をする工程とを有し、
前記突設部と衝突する前記プラグインパッケージの辺縁部に衝突部材が備えられ、
対向する一対の前記スライド収納軌道の一方と他方とにおいて対向しないように、前記突設部が配置されることにより、前記突設部と前記プラグインパッケージとの衝突毎に収納速度が停止され、その回数は前記突設部の数と同一である
ことを特徴とするシェルフにプラグインパッケージをスライド収納する方法。
【請求項１２】
請求項７乃至請求項１１のいずれか１項に記載のシェルフにプラグインパッケージをスライド収納する方法において、
スライド収納動作をする場合に衝突した前記突設部を回避する切り欠き部を、前記突設部に衝突停止した後のスライド収納動作に伴う前記突設部に対応する前記プラグインパケージの辺縁部に備え、
前記突設部に衝突停止した後、前記スライド収納方向と垂直な横幅方向へのスライド動作を遂行する工程を有する
ことを特徴とするシェルフにプラグインパッケージをスライド収納する方法。
【請求項１３】
請求項１乃至請求項４のいずれか１項に記載のシェルフと、
請求項５または請求項６に記載のプラグインパッケージと、を備える
ことを特徴とする電子装置。
【発明の詳細な説明】
【技術分野】
【０００１】
本発明は、シェルフとプラグインパッケージ及びシェルフにプラグインパッケージをスライド収納する方法とに関する。
【背景技術】
【０００２】
従来、複数の電子部品が実装された複数のプラグインパッケージを、シェルフに収納して構成された電子装置が知られている。図７は、従来の電子装置２５００を説明する図である。図７に示すように、電子装置２５００は、複数の電子部品が搭載された基板２５２０と表板２５２１とカードレバー２５２４とを備えるプラグインパッケージ２５５０をシェルフ２５１０にスライド収納して構成される。
【０００３】
プラグインパッケージ２５５０は、基板２５２０の辺縁部にコネクタ２５２２を備える。また、シェルフ２５１０のバックワイヤリングボード（ＢＷＢ）２５１４には、コネクタ２５２２に嵌合するコネクタ２５１３が配設されている。コネクタ２５２２，２５１３は、嵌合された両者の間で電気的または光学的な接続を形成する。
【０００４】
また、プラグインパッケージ２５５０は、基板２５２０の辺縁部にガイドピン受け部２５２３を備える。また、シェルフ２５１０のバックワイヤリングボード２５１４には、ガイドピン受け部２５２３に嵌合するガイドピン２５１２が立設されている。ガイドピン受け部２５２３は、ガイドピン２５１２を嵌合孔に沿って所定の位置関係にガイドすることで、コネクタ２５２２，２５１３間の嵌合をスムースに導く。
【０００５】
また、プラグインパッケージ２５５０は、シェルフ２５１０の内壁両側面に設けられたガイドレール２５１１に、基板２５２０を嵌合させて、シェルフ２５１０の最奥までスライドさせた後、カードレバー２５２４を作用させて固定ロックされる。
【０００６】
プラグインパッケージ２５５０がシェルフ２５１０に固定ロックされた状態では、コネクタ２５１３，２５２２間が嵌合して、電気的または光学的に接続される。また、この場合に、ガイドピン２５１２がガイドピン受け部２５２３に嵌合することで、コネクタ２５１３，２５２２間の接続を補助するとともに、プラグインパッケージ２５５０とシェルフ２５１０との間の固定ロックをより確実かつ安定化させる。
【０００７】
また、プラグインパッケージ２５５０がシェルフ２５１０にスライド収納される場合に、過剰な速度でスライド挿入されてコネクタ２５１３，２５２２間が激突し損傷等することを防止するために、プラグインレールの摺動下面に、摩擦材を配置することが提案されている。
【０００８】
上述した従来のプラグインレールや電子装置等は、例えば下記特許文献１等に開示されている。
【先行技術文献】
【特許文献】
【０００９】
【特許文献１】特開平８−２４２０８７号公報
【発明の概要】
【発明が解決しようとする課題】
【００１０】
従来のプラグインパッケージにおいては、プラグインパッケージをシェルフにスライド収納する時の速度が過剰となる場合には、コネクタが嵌合する際の衝撃が大きくなり、電子回路の誤動作や損傷が生じる懸念があった。また、プラグインレールの摺動下面に配設された摩擦材では、十分な減速効果を得られない場合も生じるとの懸念があった。
【００１１】
本発明は、プラグインパッケージをシェルフにスライド収納する時に、スライド収納動作を一旦停止させることにより、速度が過剰になることを抑制して、コネクタが嵌合する際の衝撃を低減させることにより、電子回路の誤作動や損傷を抑止するシェルフやプラグインパッケージ等を提供することを目的とする。
【課題を解決するための手段】
【００１２】
本発明のシェルフは、基板と基板に実装された電子部品とを備えるプラグインパッケージをガイドレールに沿ってスライド収納するシェルフにおいて、プラグインパッケージのスライド収納動作を衝突停止させるとともに、スライド方向に垂直な横幅方向のマージンを低減させる突設部を、プラグインパッケージのスライド収納軌道上に備えることを特徴とする。
【００１３】
また、本発明のシェルフは、好ましくは突設部を、スライド収納方向におけるスライド収納軌道の１／２から３／４の範囲に備えることを特徴とする。
【００１４】
また、本発明のシェルフは、さらに好ましくはプラグインパッケージがスライド収納動作をする場合に、時間差を有して交互に異なる側においてプラグインパッケージが衝突停止するように、複数の突設部を対向する一対のスライド収納軌道上に備えることを特徴とする。
【００１５】
また、本発明のシェルフは、さらに好ましくは突設部が、シェルフの内側壁が凸状となって形成されることを特徴とする。
【００１６】
また、上述のいずれかに記載のシェルフにスライド収納される本発明のプラグインパッケージは、突設部と衝突する辺縁部に衝突部材を備えることを特徴とする。
【００１７】
また、上述のいずれかに記載のシェルフにスライド収納される本発明のプラグインパッケージは、突設部に衝突停止した後のさらなるスライド収納動作に伴う突設部に対応する辺縁部に、突設部を回避する切り欠き部を備えることを特徴とする。
【００１８】
また、基板と基板に実装された電子部品とを備えるプラグインパッケージをガイドレールに沿ってシェルフにスライド収納する本発明の方法は、プラグインパッケージのスライド収納軌道上に備えられた突設部により、プラグインパッケージのスライド収納動作を衝突停止させる工程と、スライド方向に垂直な横幅方向のマージンが突設部により低減された状態で、さらにスライド収納動作をする工程とを有することを特徴とする。
【００１９】
また、基板と基板に実装された電子部品とを備えるプラグインパッケージをガイドレールに沿ってシェルフにスライド収納する本発明の方法は、好ましくは突設部が、スライド収納方向におけるスライド収納軌道の１／２から３／４の範囲に備えられることを特徴とする。
【００２０】
また、基板と基板に実装された電子部品とを備えるプラグインパッケージをガイドレールに沿ってシェルフにスライド収納する本発明の方法は、さらに好ましくは、プラグインパッケージがスライド収納動作をする場合に、時間差を有して交互に異なる側においてプラグインパッケージが衝突停止するように、シェルフが複数の突設部を対向する一対のスライド収納軌道上に備え、プラグインパッケージがスライド収納動作をする場合に、複数の突設部に対して、時間差を有して交互に異なる側においてプラグインパッケージが順次衝突停止する工程を有することを特徴とする。
【００２１】
また、基板と基板に実装された電子部品とを備えるプラグインパッケージをガイドレールに沿ってシェルフにスライド収納する本発明の方法は、さらに好ましくは突設部が、シェルフの内側壁が凸状となって形成されたことを特徴とする。
【００２２】
また、基板と基板に実装された電子部品とを備えるプラグインパッケージをガイドレールに沿ってシェルフにスライド収納する本発明の方法は、さらに好ましくは突設部と衝突するプラグインパッケージの辺縁部に衝突部材が備えられることを特徴とする。
【００２３】
また、基板と基板に実装された電子部品とを備えるプラグインパッケージをガイドレールに沿ってシェルフにスライド収納する本発明の方法は、さらに好ましくはスライド収納動作をする場合に衝突した突設部を回避する切り欠き部を、突設部に衝突停止した後のスライド収納動作に伴う突設部に対応するプラグインパケージの辺縁部に備え、突設部に衝突停止した後、スライド収納方向と垂直な横幅方向へのスライド動作を遂行する工程を有することを特徴とする。
【００２４】
また、本発明の電子装置は、上述のいずれかに記載のシェルフと、上述のいずれかに記載のプラグインパッケージとを備えることを特徴とする。
【発明の効果】
【００２５】
本発明により、プラグインパッケージをシェルフにスライド収納する時の速度を適正化して、コネクタが嵌合する際の衝撃を低減させることにより、電子回路の誤動作や損傷を抑止するシェルフとプラグインパッケージ等を提供できる。
【図面の簡単な説明】
【００２６】
【図１】第一の実施形態のプラグインパッケージとシェルフとを説明する概念図である。
【図２】第一の実施形態にかかるシェルフとプラグインパッケージとのスライド収納動作を上面側から説明する概念図である。
【図３】第二の実施形態のプラグインパッケージとシェルフとを説明する概念図である。
【図４】第二の実施形態にかかるプラグインパッケージとシェルフとのスライド収納動作について概要を説明するフロー図である。
【図５】第三の実施形態のプラグインパッケージとシェルフとを説明する概念図である。
【図６】第三の実施形態にかかるプラグインパッケージとシェルフとのスライド収納動作について概要を説明するフロー図である。
【図７】従来の電子装置を説明する図である。
【発明を実施するための形態】
【００２７】
実施形態で説明する電子装置は、複数の電子部品が多層基板に実装されたプラグインパッケージを、シェルフ（筐体ともいう）にスライド収納して構成される。プラグインパッケージには、シェルフ等に接続される外部電源や外部装置と電気的または光学的に接続するためのコネクタが配設される。
【００２８】
近年、電子装置の高密度化に伴い、コネクタに配設されるピンの収納数も増大する傾向にある。一方で、電子装置を小型・軽量化することが求められているので、ピンの収納密度が益々増大している。このため、コネクタ全体としての雌コネクタ雄コネクタ間での挿脱力を従来とほぼ同じ程度とするために、一つのピンあたりのピン接圧を小さく設定する処置が為される。
【００２９】
ピン接圧を小さく設定することにより、各ピンにおける電気的な接触等は、比較的小さな衝撃に対しても瞬断、すなわちコネクタ接点が振動等により瞬間的にオープンとなることで電気的な接続が途絶える現象、が生じることが懸念される。特に、複数のプラグインパッケージを備える電子装置において、メンテナンス等で後発的に挿入されるプラグインパッケージのスライド収納動作時に、先に収納されて稼働中のプラグインパッケージのコネクタに瞬断が生じることは好ましくない。
【００３０】
実施形態で説明するシェルフは、プラグインパッケージをシェルフにスライド収納する場合に、プラグインパッケージを一旦停止させるために、シェルフの内側壁から垂直に立設した構造物をガイドレールに対応するシェルフ内側壁に備える。
【００３１】
これにより、少なくとも一回のスライド停止動作をスライド収納動作中に遂行させ、プラグインパケージの連続したスライド距離を複数に分断して短くできるので、過剰な加速収納動作が低減されて過剰な速度でのコネクタ間の衝突を防止できることとなる。
【００３２】
（第一の実施形態）
図１は、第一の実施形態のプラグインパッケージ１０５０とシェルフ１０１０とを説明する概念図である。シェルフ１０１０は、複数（図１においては５つ）のプラグインパッケージ１０５０を収納することが可能である。シェルフ１０１０は、プラグインパッケージ１０５０を収納することにより、所望の機能を有する電子装置を形成する。
【００３３】
また、プラグインパッケージ１０５０は、表板１０２１とその両端部付近の基板１０２０に備えられるカードレバー１０２４とを備える。また、プラグインパッケージ１０５０は、基板１０２０のスライド収納奥方向の辺縁部に配置された二つのガイドピン受け部１０２３とコネクタ１０２２とを備える。なお、基板１０２０上には、所望の機能を有するように、不図示の複数の電子部品等を実装されていてもよい。
【００３４】
また、シェルフ１０１０は、基板１０２０の両端部を挟持してプラグインパッケージ１０５０をガイドする複数のガイドレール１０１１を備える。また、バックワイヤリングボード１０１４の内壁には、プラグインパッケージ１０５０のコネクタ１０２２及びガイドピン受け部１０２３と各々嵌合するコネクタ１０１３及びガイドピン１０１２が立設される。
【００３５】
また、シェルフ１０１０の内壁には、ガイドレール１０１１に対応する所望の部位に、基板１０２０のエッジと衝突してプラグインパッケージ１０５０のスライド収納動作を一旦停止させる突設部１００５が設けられる。突設部１００５は、樹脂等の弾性部材から構成されてもよく金属部材等で構成されてもよいが、それ自体の形状が変化して基板１０２０との間で圧接作用するものではなく、形状変化がない一定形状の部材として所定のマージンを設定できることが好ましい。また、突設部１００５は、シェルフ１０１０の内側壁が部分的に内側に凸状に突出して形成されるものであってもよい。
【００３６】
また、突設部１００５が配置された部位において、ガイドレール１０１１が部分的に欠落されるものとしてもよい。ガイドレール１０１１はコネクタ１０１３が適正に嵌合するように、プラグインパッケージ１０５０を全体として適正方向にガイドすればよいのであって、その一部が欠落した形状とされるものであってもよい。
【００３７】
突設部１００５は、プラグインパッケージ１０５０をシェルフ１０１０にスライド収納する場合の両者間の遊び（以下、マージンと称する）の長さ相当分だけ、シェルフ１０１０の内壁から突設されることが好ましい。
【００３８】
すなわち、プラグインパッケージ１０５０とシェルフ１０１０との間には、ガイドレール１０１１に沿ってスムースなスライド収納動作を可能とするために、横幅方向（スライド収納方向に垂直な方向）に若干のマージンが設けられている。そして、このマージンにより、プラグインパッケージ１０５０がスライド進行方向に対して多少傾いていたり角度を有していてもある程度は許容されることとなり、スムースなスライド動作が可能となる。
【００３９】
一方、プラグインパッケージ１０５０が突設部１００５を通過する場合には、突設部１００５の突起高さ相当分だけマージンが狭められて低減された状態で通過することとなる。このため、プラグインパッケージ１０５０は、スムースなスライド動作を阻止されて、マージンの少ないいわば窮屈な状態で、突設部１００５を通過する。
【００４０】
また、突設部１００５は、スライド動作されるプラグインパッケージ１０５０に対して徐徐にマージンを低減するスロープ形状を有するものではなく、段状に突設されることで、プラグインパッケージ１０５０に対して突発的にマージンが低減された箇所（典型的にはマージンがゼロ）を提供する。
【００４１】
このため、スライド収納動作をしているプラグインパッケージ１０５０は、その前方端部が突設部１００５に実質的に引っかかるように衝突することとなり、ここで一旦停止することとなる。
【００４２】
この場合において、プラグインパッケージ１０５０がスライドしてきた距離はスライド開始後まだ比較的短いのでさほど加速されておらず、衝突の衝撃は比較的小さい。また、衝撃が発生する箇所もシェルフ１０１０の側面を主とするものであり、バックワイヤリングボード１０１４ではないので、他の収納済みのプラグインパッケージ１０５０のコネクタ１０１３に対する瞬断等の影響はない。
【００４３】
一般に、一連の一直線状かつ同一方向に連続したスライド収納動作をする場合には、連続した動作距離が長くなるに従って、その間に加えられる力により次第に加速されてスライド速度が上昇する傾向にあると考えられる。
【００４４】
本実施形態の突設部１００５は、連続した同一方向のスライド動作の距離を分断して短くすることで、過剰な加速を抑制しスライド速度を適正化することができる。突設部１００５で一旦停止したプラグインパッケージ１０５０は、その後突設部１００５によりマージンが低減された状態でスライド動作することとなるので、過剰な速度となることがなく適正な速度でスライド動作し、適正かつ確実にコネクタ１０２２，１０１３間が嵌合する。
【００４５】
なお、突設部１００５のスライド奥行き方向における長さは、任意の長さとできるが、長すぎれば一旦停止後のさらなるスライド収納動作が窮屈な動作となりスムースさが著しく欠如することとなるので、突設部１００５の突起高さとの関係で適宜調整することが好ましい。
【００４６】
例えば、突設部１００５の突起高さが比較的高い場合にはマージンがより低減された状態となるので、突設部１００５の奥行き方向の長さは比較的短い方が、その後のスライド動作をスムースにする観点から好ましい。また、例えば突設部１００５の突起高さが比較的低い場合には残されたマージンが比較的大きく確保された状態となるので、突設部１００５の奥行き方向の長さは比較的長い方が、その後のスライド動作速度を適宜抑制する観点から好ましい。
【００４７】
図２は、第一の実施形態にかかるシェルフ１０１０とプラグインパッケージ１０５０とのスライド収納動作を上面側から説明する概念図である。図２（ａ）がプラグインパッケージ１０５０をシェルフ１０１０に挿入する直前の状態を説明する図であり、図２（ｂ）がプラグインパッケージ１０５０をシェルフ１０１０に挿入してスライド動作の途中で一旦停止した状態を説明する図であり、図２（ｃ）はプラグインパッケージ１０５０がシェルフ１０１０の奥まで完全に挿入された状態を説明する図である。図２においては、図１と対応する箇所には同一の符号を付してその説明を省略する。
【００４８】
図２（ａ）に示すように突設部１００５は、好ましくはシェルフ１０１０の奥行き方向長さ（スライド収納軌道全長）の１／２から３／４の範囲内Ａにおいて、プラグインパッケージ１０５０を一旦停止可能なように配設される。
【００４９】
突設部１００５をスライド収納軌道全長の１／２から３／４の範囲内Ａに配設することにより、スライド動作を開始後比較的短い時間かつ比較的短い動作距離である状態においてプラグインパッケージ１０５０が過剰に加速された状態となる前に、プラグインパッケージ１０５０を、突設部１００５に対して衝突させて一旦停止させることができる。
【００５０】
この場合の衝突は図２（ｂ）に説明するように、比較的速度が緩やかな状態における衝突であるので、シェルフ１０１０に加わる衝撃や基板１０２０に加わる衝撃が比較的小さい。さらに、仮に他のプラグインパッケージ１０５０が先にシェルフ１０１０に実装収納されていたとしても、衝撃が加わる箇所が突設部１００５を介したシェルフ１０１０の側壁であるので、バックワイヤリングボード１０１４への衝撃や振動は小さいものであって、コネクタの瞬断等の障害発生の懸念は極めて少ないものとなる。
【００５１】
また図２（ｃ）に示すように、図２（ｂ）で一旦停止したプラグインパッケージ１０５０は、図２における右方向に突設部１００５の突起高さ相当分だけ横スライドし、突設部１００５を回避してマージンが低減された状態で、さらに奥にスライド動作される。
【００５２】
そして、さらなるスライド動作の最後にコネクタ１０１３，１０２２が嵌合する。ここで、コネクタ１０１３，１０２２が嵌合する直前のプラグインパッケージ１０５０の速度は、突設部１００５による一旦停止後からの比較的短距離での加速に基づく速度であって、かつ突設部１００５によりマージンが低減されたいわば窮屈な状態でのスライド動作となる。このため、突設部１００５により一旦停止されずに連続的に全スライド軌道を摺動した場合と比較して、相当に小さな速度となり加わる衝撃は小さいものとなる。
【００５３】
また、突設部１００５の配置位置がスライド収納軌道全長における過剰に奥方向（図２のより上側）にあれば一旦停止される場合の衝撃が大きくなることが懸念されるとともに、衝撃が加わる位置もバックワイヤリングボード１０１４により近づくこととなるので、好ましくない。
【００５４】
一方、突設部１００５の配置位置がスライド軌道全長における過剰に前方手前方向（図２のより下側）にあれば一旦停止される場合の衝撃は小さくなりその位置もバックワイヤリングボード１０１４から遠くなるが、一旦停止後のさらなるスライド動作距離がこれに対応して長くなることから、スムースかつ迅速なスライド収納動作を実現する観点から好ましくない。
【００５５】
上述のように、突設部１００５は図２に示すように、典型的にはガイドレール１０１１の始点から終点までの長さの１／２から３／４の範囲内Ａに位置してプラグインパッケージ１０５０を一旦停止させることが可能な配置とすることが好ましい。
【００５６】
（第二の実施形態）
図３は、第二の実施形態のプラグインパッケージ１０５０とシェルフ１０１０とを説明する概念図である。図３においては、既に説明した図１と図２とに対応する部位には同一の符号を付して、説明の重複を避けるためにここではその説明を省略する。
【００５７】
図３に示すように、第二の実施形態においてはプラグインパッケージ１０５０が、シェルフ１０１０の突設部１００５と当接する衝突部材１００６を備える。プラグインパッケージ１０５０が衝突部材１００６を備えることにより、基板１０２０やコネクタ１０２２及び基板１０２０に実装された不図示の電子部品に加わる衝撃が緩和されることとなるので好ましい。
【００５８】
また、衝突部材１００６のスライド方向への突設高さは、図３（ｃ）に示すようにコネクタ１０１３，１０２２が嵌合した状態で、バックワイヤリングボード１０１４に当接しない程度とすることが好ましい。仮に、衝突部材１００６がバックワイヤリングボード１０１４に当接する場合には、当接時にバックワイヤリングボード１０１４を介して、これに配置された他のコネクタ等への衝撃や振動が生じることとなるので、新たに瞬断等の障害が引き起こされる懸念が生じる。
【００５９】
その他の構成については、第一の実施形態と同様であるのでここでは説明を省略する。
【００６０】
図４は、第二の実施形態にかかるプラグインパッケージ１０５０とシェルフ１０１０とのスライド収納動作について概要を説明するフロー図である。以下、図４に示す各ステップに基づいて、スライド動作について順次説明する。
【００６１】
（ステップＳ４１０）
プラグインパッケージ１０５０をシェルフ１０１０のガイドレール１０１１に嵌め込む。
【００６２】
（ステップＳ４２０）
衝突部材１００６が、突設部１００５に衝突してプラグインパッケージ１０５０が一旦停止したか否か判断する。衝突部材１００６が突設部１００５に衝突してプラグインパッケージ１０５０が一旦停止した場合には、ステップＳ４３０へと進む。また、衝突部材１００６が突設部１００５に衝突しておらずプラグインパッケージ１０５０が一旦停止していない場合にはステップＳ４２０において待機し、すなわちスライド収納動作を継続する。
【００６３】
（ステップＳ４３０）
プラグインパッケージ１０５０が突設部１００５を回避できるように、プラグインパッケージ１０５０を横幅方向（スライド収納方向に直角かつ水平な方向）にスライドさせる。横方向への動作により、プラグインパッケージ１０５０とシェルフ１０１０との間のマージンは低減され、典型的にはマージがゼロとなる。
【００６４】
（ステップＳ４４０）
プラグインパッケージ１０５０とシェルフ１０１０との間の、ガイドレール１０１１嵌合時におけるマージンが、突設部１００５の突設高さ相当分だけ低減された状態で、さらに奥へとプラグインパッケージ１０５０をガイドレール１０１１に沿ってスライド収納動作させる。この場合に、突設部１００５の突設高さ相当分だけ低減されたマージンにより、プラグインパッケージ１０５０は過剰な速度とならない。また、一旦停止した後比較的短いスライド動作距離において動作完了するので、プラグインパッケージ１０５０は過剰な速度とならない。
【００６５】
（ステップＳ４５０）
コネクタ１０１３,１０２２が嵌合したか否かを判断する。コネクタ１０１３，１０２２が嵌合した場合には、スライド収納動作に関する動作フローを完了する。コネクタ１０１３，１０２２が嵌合していない場合には、ステップＳ４４０へと戻る。
【００６６】
第二の実施形態においても突設部１００５の突出高さは、最大でマージンをゼロとする程度とし、かつシェルフ１０１０の内壁から直角に段状に突出することが好ましい。これにより、プラグインパッケージ１０５０を確実に衝突させて一旦停止させることができる。
【００６７】
（第三の実施形態）
図５は、第三の実施形態のプラグインパッケージ５０５０とシェルフ５０１０とを説明する概念図である。図５に示すように、第三の実施形態で説明するシェルフ５０１０は、第一の突設部５００５（１）と第二の突設部５００５（２）とを対向する側に斜交い配置に備える。
【００６８】
二つの突設部５００５（１）,５００５（２）により、プラグインパッケージ５０５０は、各々の突設部５００５（１）,５００５（２）と衝突するたびに一旦停止し、すなわち二回一旦停止をすることとなる。これにより、プラグインパッケージ５０５０は、より確実にスライド速度が抑制されることとなり、さらに安全かつ慎重にスライド収納動作されることが可能となる。
【００６９】
また、図５において、プラグインパッケージ５０５０は、最初に衝突することとなる第一の突設部５００５（１）に対応する側辺に切り欠き部５０２５を備える。切り欠き部５０２５は、第一の突設部５００５（１）を回避したプラグインパッケージ５０５０がさらに奥へとスライド収納される場合に、第一の突設部５００５（１）と基板５０２０との間のマージンを確保してスムースなスライド動作を可能とする。この場合にスムースなスライド動作ではあっても、連続したスライド距離が比較的短いものとなるので、過剰なスライド速度とはならないと考えられる。
【００７０】
さらに、第二の突設部５００５（２）への衝突後にこれを回避する動作としての横方向（図５における右方向）への横スライドをする必要が生じた場合に、第一の突設部５００５（１）の存在にも拘わらず切り欠き部５０２５が存在することにより、これが比較的容易に可能となる。
【００７１】
ここで、図５（ａ）がプラグインパッケージ５０５０をシェルフ５０１０に挿入する直前の状態を説明する図であり、図５（ｂ）がプラグインパッケージ５０５０をシェルフ５０１０に挿入してスライド動作の途中で第一の突設部５００５（１）に衝突して一旦停止した状態を説明する図であり、図５（ｃ）がプラグインパッケージ５０５０をシェルフ５０１０に挿入してスライド動作の途中で第二の突設部５００５（２）に衝突して一旦停止した状態を説明する図であり、図５（ｄ）がプラグインパッケージ５０５０をシェルフ１０１０の奥まで完全に挿入した状態を説明する図である。
【００７２】
図５（ｄ）に示す状態においては、コネクタ５０１３，５０２２が互いに完全に嵌合した状態で両者の接続が確保されている。また、第三の実施形態において、プラグインパッケージ５０５０の連続したスライド動作距離が３つに分断されることとなり各連続スライド距離が短くなるので、過剰な加速スライドがさらに確実に抑制されて安全かつ平静なコネクタ嵌合動作が可能となる。なお、図５において、５０１４はシェルフ５０１０のバックワイヤリングボードを示している。
【００７３】
換言すれば、第三の実施形態においては、スライド収納動作に伴う衝突の衝撃をシェルフ５０１０の側面において少なくとも２回予め吸収させた後、コネクタ５０２２，５０１３を嵌合させることにより、バックワイヤリングボード５０１４に伝達される衝突衝撃を低減させることができる。
【００７４】
図６は、第三の実施形態にかかるプラグインパッケージ５０５０とシェルフ５０１０とのスライド収納動作について概要を説明するフロー図である。以下、図６に示す各ステップに基づいて、スライド動作について順次説明する。
【００７５】
（ステップＳ６１０）
プラグインパッケージ５０５０をシェルフ５０１０のガイドレール（不図示）に嵌め込む。
【００７６】
（ステップＳ６２０）
プラグインパッケージ５０５０が、第一の突設部５００５（１）に衝突して停止したか否かを作業者が判断する。プラグインパッケージ５０５０が第一の突設部５００５（１）に衝突して停止した場合には、ステップＳ６３０へと進む。また、プラグインパッケージ５０５０が第一の突設部５００５（１）に衝突して停止していない場合には、ステップＳ６２０で待機して、作業者はスライド収納動作を継続する。
【００７７】
ここで、第一の突設部５００５（１）は、その突設高さが、プラグインパッケージ５０５０とシェルフ５０１０との間のマージン程度の高さとされることが好ましい。これにより、プラグインパッケージ５０５０が第一の突設部５００５（１）までスライド動作した時点でマージンが実質的にゼロとなることにより、プラグインパッケージ５０５０が一旦停止せざるを得なくなる。
【００７８】
すなわち、マージンがほぼゼロの第一の突設部５００５（１）をプラグインパッケージ５０５０が通過するためには、相当の高い精度でスライド方向に真っ直ぐかつ平行方向に傾きなく、丁寧にスライドさせる必要がある。一方、プラグインパッケージ５０５０は、第一の突設部５００５（１）までは、マージンを有した状態で多少の傾きや左右ブレ等を許容された状態で比較的容易にスライド動作される。従って、スライド動作に要する動作の精緻さや必要とされる押圧力や許容される傾きやブレ等が、第一の突設部５００５（１）において突然変化することとなるので、プラグインパッケージ５０５０が一旦停止することとなる。
【００７９】
（ステップＳ６３０）
プラグインパッケージ５０５０が第一の突設部５００５（１）を回避するように、第一の突設部５００５（１）の突設高さ相当分程度だけ横幅方向にスライドさせる。横方向へのスライド動作によって、プラグインパッケージ５０５０が図５における左方向に寄せられることとなり左側のマージンが低減されるとともに、第一の突設部５００５（１）の突設高さだけ右側のマージンも低減され、典型的にはマージンのないかなり窮屈な状態でプラグインパッケージ５０５０の側面とシェルフ５０１０の内側面等との間で抗力が生じる。
【００８０】
（ステップＳ６４０）
第一の突設部５００５（１）の突設高さ相当分程度だけマージンが低減された状態で、第一の突設部５００５（１）の反対側へ寄せられた状態で、プラグインパッケージ５０５０がさらに奥へとスライド収納される。
【００８１】
（ステップＳ６５０）
第一の突設部５００５（１）が、プラグインパッケージ５０５０に設けられた切り欠き部５０２５に対応する位置までスライド動作されると、再度マージンを有することとなるので、比較的容易かつスムースにプラグインパッケージ５０５０をスライド動作させることが可能となる。
【００８２】
すなわち、第一の突設部５００５（１）は、コネクタ５０１３，５０１４が嵌合するまでに未だ長いスライド軌道を残した位置に設けられるため、残ったスライド軌道を全てマージンの無い状態でスライド動作させることは、スムースかつ迅速な収納処理をする観点から好ましいとはいえない。
【００８３】
このため、第一の突設部５００５（１）は、過剰なスライド速度となることを防止するために、あくまで一旦停止させるために設けられることが好ましい。これにより、一旦停止させたプラグインパッケージ５０５０が、その後スムースにスライド動作を再開できることとなる。従って、切り欠き部５０２５の切り欠きは、第一の突設部５００５（１）の突設高さに対応する高さとすることが好ましい。
【００８４】
（ステップＳ６６０）
マージンが確保された状態で、プラグインパッケージ５０５０をさらに奥へとスライド動作させる。
【００８５】
（ステップＳ６７０）
プラグインパッケージ５０５０が、第二の突設部５００５（２）に衝突して停止したか否かを作業者が判断する。プラグインパッケージ５０５０が第二の突設部５００５（２）に衝突して停止した場合には、ステップＳ６８０へと進む。また、プラグインパッケージ５０５０が第二の突設部５００５（２）に衝突して停止していない場合には、ステップＳ６７０で待機して、作業者はスライド収納動作を継続する。
【００８６】
ここで、第二の突設部５００５（２）は、その突設高さが、プラグインパッケージ５０５０とシェルフ５０１０との間のマージン程度の高さとされることが好ましい。これにより、プラグインパッケージ５０５０が第二の突設部５００５（２）までスライド動作した時点でマージンが実質的にゼロとなることにより、プラグインパッケージ５０５０が一旦停止せざるを得なくなる。また、第二の突設部５００５（２）は、第一の突設部５００５（１）の対向する側に設けることが好ましい。
【００８７】
マージンがほぼゼロの第二の突設部５００５（２）をプラグインパッケージ５０５０が通過するためには、相当の高い精度でスライド方向に真っ直ぐかつ平行方向に、傾きなく丁寧にスライドさせる必要がある。一方、プラグインパッケージ５０５０は、第二の突設部５００５（２）直前では、マージンを有した状態で多少の傾きや左右ブレ等を許容された状態で比較的容易にスライド動作されてくる。従って、スライド動作に要する動作の精緻さや必要とされる押圧力や許容される傾きやブレ等が、第二の突設部５００５（２）において突然変化することとなるので、プラグインパッケージ５０５０が再び一旦停止することとなる。
【００８８】
（ステップＳ６８０）
プラグインパッケージ５０５０が第二の突設部５００５（２）を回避するように、第二の突設部５００５（２）の突設高さ相当分程度だけ横幅方向にスライドさせる。この場合に、第二の突設部５００５（２）は第一の突設部５００５（１）と対向する側に設けられているので、ステップＳ６３０における横方向とは逆の方向へ回避動作させることとなる。
【００８９】
横方向へのスライド動作によって、プラグインパッケージ５０５０が図５における右方向に寄せられることとなり右側のマージンが低減されるとともに、第二の突設部５００５（２）の突設高さだけ左側のマージンも低減され、典型的にはマージンのないかなり窮屈な状態でプラグインパッケージ５０５０の側面とシェルフ５０１０の内側面等との間で抗力が生じる。
【００９０】
（ステップＳ６９０）
第二の突設部５００５（２）の突設高さ相当分程度だけマージンが低減された状態で、第二の突設部５００５（２）の反対側へ寄せられた状態で、プラグインパッケージ５０５０がさらに奥へとスライド収納される。
【００９１】
（ステップＳ６ａ１）
コネクタ５０１３，５０２２が嵌合すればこのスライド動作フローを終了する。コネクタ５０１３，５０２２が嵌合しなければ、ステップＳ６９０に戻りスライド収納動作を継続する。また、コネクタ５０１３，５０２２が嵌合する場合に、不図示のカードレバーを作用させて梃子の原理で嵌合させることとしてもよい。
【００９２】
なお、コネクタ５０１３，５０２２は、上述した横方向へのスライド回避動作に拘わらず最終的に奥までスライド動作した時点で嵌合対応するように、バックワイヤリングボード５０１４とプラグインパッケージ５０５０の前方端部との対応位置に各々配置される。
【００９３】
上述したように、プラグインパッケージ５０５０とシェルフ５０１０とは、少なくとも２回の一旦停止動作をスライド収納動作の途中で遂行されることとなる。このため、過剰なスライド速度となることが抑制されて、安全かつスムースにコネクタ５０１３，５０２２間を嵌合させることが可能となる。
【００９４】
また、一旦停止された後のさらなるスライド動作は、所定のマージンが確保されることとなりスムースかつ迅速な収納動作と安全な収納動作の調和が極めて容易に実現できる。また、これにより、コネクタに配置された多数のピンの座屈や瞬断を防止できる。
【００９５】
上述した各実施形態におけるプラグインパッケージとシェルフ等は、実施形態での説明に限定されることはなく、自明な範囲で適宜その形状や構造、材質及び動作処理を変更することができる。
【産業上の利用可能性】
【００９６】
本発明は、プラグインパッケージをシェルフにスライド収納する電子装置等一般に幅広く適用できる。
【符号の説明】
【００９７】
１００５・・突設部、１０１０・・シェルフ、１０１１・・ガイドレール、１０１２・・ガイドピン、１０１３・・コネクタ、１０２０・・基板、１０２１・・表板、１０２２・・コネクタ、１０２３・・ガイドピン受け部、１０２４・・カードレバー、１０５０・・プラグインパッケージ。
【図１】
0005630817.tif 000002
【図２】
0005630817.tif 000003
【図３】
0005630817.tif 000004
【図４】
0005630817.tif 000005
【図５】
0005630817.tif 000006
【図６】
0005630817.tif 000007
【図７】
0005630817.tif 000008